【事件の表示】
　特許第３１５７６２４号に関する訂正審判事件について、次のとおり審決する。
【結　論】
　特許第３１５７６２４号に係る明細書を本件審判請求書に添付された訂正明細書のとおり訂正することを認める。
【理　由】
第１　請求の要旨
　本件審判の請求の要旨は、特許第３１５７６２４号発明（平成４年１０月２日特許出願、平成１３年２月９日設定登録）の明細書を審判請求書に添付した訂正明細書のとおり、すなわち、下記（１）（２）のとおり訂正することを求めるものである。
（１）特許請求の範囲を、請求項１について請求項５記載の事項を繰り入れると共に更に限定し、請求項５を削除し、それに伴い請求項６，７について項番を一つずつ繰り上げると共に引用する請求項を以上のことに整合すべく、次のように訂正する（下線は訂正個所を示す）。
「【請求項１】インクを吐出して記録を行うインクジェット記録装置において、インクを吐出して記録を行うためのインクジェット記録ヘッドによって記録媒体に記録が行われる記録位置の当該記録媒体の裏面を支持するプラテンと、前記記録媒体の搬送方向に交差する方向に沿って、前記プラテンの前記記録位置に複数突設されたリブと
を有し、
前記リブは、前記搬送方向の下流側にあるニップ位置で前記記録媒体を挟持して搬送することにより、前記インクジェット記録ヘッドによるインク吐出によって前記記録媒体に生じるコックリングによって当該記録媒体が前記インクジェット記録ヘッド側へ変位する量を抑える
　【請求項２】前記記録位置に関して前記搬送方向下流側には前記記録媒体を挟持搬送する一対の回転体が設けられ、当該一対の回転体による前記記録媒体のニップ位置は、前記記録位置における前記リブの突起先端位置よりも前記記録媒体の裏面側へ位置することを特徴とする請求項１に記載のインクジェット記録装置。
　【請求項３】前記一対の回転体であって、前記記録媒体の記録面側に当接する回転体は、前記搬送方向に交差する方向に関して、前記リブの間に位置するように配設されていることを特徴とする請求項２に記載のインクジェット記録装置。
　【請求項４】前記記録位置に関して前記搬送方向下流側には前記記録媒体を挟持搬送する一対の回転体が設けられ、当該一対の回転体であって、前記記録媒体の記録面側に当接する回転体は、前記搬送方向に交差する方向に関して、前記リブの間に位置するように配設されていることを特徴とする請求項１に記載のインクジェット記録装置。
　【請求項
５
４
　【請求項
６
５
（２）明細書段落【００１２】中の「リブと、を有することを特徴とする。」を「リブとを有し、前記リブは、前記搬送方向の下流側にあるニップ位置で前記記録媒体を挟持して搬送することにより、前記インクジェット記録ヘッドによるインク吐出によって前記記録媒体に生じるコックリングによって当該記録媒体が前記インクジェット記録ヘッド側へ変位する量を抑えることを特徴とする。」と訂正する。
　
第２　当審の判断
１．訂正の目的・新規事項追加・拡張変更の有無について
　上記（１）の訂正は、請求項１の記載事項を限定し、請求項５を削除し、かつ、その削除に伴い請求項６，７の項番と引用する請求項の番号を変更するものであるから、特許請求の範囲の減縮を目的とするものであり、また、上記（２）の訂正は上記（１）の訂正に明細書の発明の詳細な説明の記載を整合させるためのものであるから、明りょうでない記載の釈明を目的とするものである。
　そして、上記（１）の訂正により請求項１に新たに追加された事項のうち、リブが「前記搬送方向の下流側にあるニップ位置で前記記録媒体を挟持して搬送することにより、前記インクジェット記録ヘッドによるインク吐出によって前記記録媒体に生じるコックリングによって当該記録媒体が前記インクジェット記録ヘッド側へ変位する量を抑える」点は訂正前の請求項５に記載されていた事項であり、「前記搬送方向の下流側にあるニップ位置で前記記録媒体を挟持して搬送する」点は訂正前の請求項２に記載されていた事項であるから、上記各訂正は、願書に添付した明細書または図面に記載された事項の範囲内のものであって、かつ、実質上特許請求の範囲を拡張し又は変更するものでもない。
２．独立特許要件について
（１）訂正後の発明
　訂正後の発明は、上記第１（１）に示した請求項１乃至６に記載したとおりのものである。
（２）先行発明との対比・判断
　請求人が先行例として提示した特開平２−１７５１７３号公報（以下、「先行例１」という）には、特に第７，２１，２５図とそれらに係る明細書の記載等を参酌すると、「インクを吐出して記録を行うインクジェット記録装置において、インクを吐出して記録を行うためのインクジェット記録ヘッド（記録ヘッド８）によって記録媒体（記録シート１１）に記録が行われる記録位置の当該記録媒体の裏面を支持するプラテン（プラテン１２）と、前記記録媒体の搬送方向に交差する方向に沿って、前記プラテンの前記記録位置に複数突設されたリブ（リブ１２ａ）とを有するインクジェット記録装置。」に係る発明（以下、「先行発明」という）の記載が認められる。
　本件訂正後の請求項１に係る発明（前者）と先行発明（後者）とを対比するに、両者は、後者が前者の「前記リブは、前記搬送方向の下流側にあるニップ位置で前記記録媒体を挟持して搬送することにより、前記インクジェット記録ヘッドによるインク吐出によって前記記録媒体に生じるコックリングによって当該記録媒体が前記インクジェット記録ヘッド側へ変位する量を抑える」構成を備えていない点で相違し、その余の点で一致する。
　相違点について検討するに、前者は、その作用効果からみて、リブと搬送方向下流側にあるニップ位置での記録媒体の挟持搬送とが相俟って、コックリングによる記録位置での記録媒体の変位を記録に影響を与えない程度に積極的にリブ間に逃がして上記変位量を抑えているところ、後者は、搬送方向下流側で記録媒体を挟持搬送するものがないだけでなく、そのリブも、実施例によればプラテンに設けられたインク吸収体２１３の幅方向中央に配され（第２５図参照）、記録媒体がインク吸収体２１３に接触しないように、むしろリブ間への記録媒体の入り込みを阻止しているものであって、前者のようにコックリングによる記録位置での記録媒体の変位を記録に影響を与えない程度にリブ間に逃がす構成になっているとは認め難い。
　さらに、原審で通知された拒絶理由において引用された特開平４−９４３２７号公報及び特開平３−７９５５０号公報（以下、それぞれ「先行例２」及び「先行例３」という）には、記録位置の搬送方向下流側に記録媒体の挟持搬送装置を設けることが記載されているが（先行例２第１，２，５図及び先行例３第１〜３図参照）、これらに基づいて、上記後者の記録位置の搬送方向下流側に記録媒体の挟持搬送装置を設けることが容易になし得たとしても、リブ及びリブと挟持搬送装置との関係を、コックリングによる記録位置での記録媒体の変位を記録に影響を与えない程度に積極的にリブ間に逃がして上記変位量を抑えるようなものになすことまでは容易に想到できるものではない。
　したがって、上記前者すなわち本件訂正後の請求項１に係る発明は、先行例１乃至３に記載された発明に基づいて当業者が容易に発明をすることができたものとはいえないから、先行例１乃至３によっては特許出願の際独立して特許を受けることができない発明とすることはできず、他に特許出願の際独立して特許を受けることができない発明とする理由も発見しない。
　また、本件訂正後の請求項２乃至６に係る発明は、本件訂正後の請求項１に係る発明の構成要件の全てを構成要件の一部とするものであるから、本件訂正後の請求項１に係る発明と同様、先行例１乃至３によっては特許出願の際独立して特許を受けることができない発明とすることはできず、他に特許出願の際独立して特許を受けることができない発明とする理由も発見しない。
　
第３　むすび
　したがって、本件審判の請求は、特許法第１２６条第１項第１号乃至第３号に掲げる事項を目的とし、同条第２項乃至第４項の規定に適合する。
　よって、結論のとおり審決する。